(57)【要約】【課題】  従来のケーシングを、装置の主軸部に首振り（可動）可能に軸支し、ノズルが、主軸部を支点として首振りする構造である。ノズルが、軸部のみを支点として首振り動作する構造では、ノズルの確動的な動作が期待できない。また単独の主軸部でノズルを支持する構造では、大型及び重量がある送風機では、耐久性に問題を残すものと考えられる。【構成】  本発明は、ベースの軸受けに軸承した支持軸と、支持軸に固止した支持杆と、支持杆の一端に設けたケーシングと、ケーシングに内蔵した羽根車と、この羽根車を支持する回転軸と、回転軸を回転するベースに設けたモータと、ケーシング及び羽根車を回転する回転手段で構成したスイング形送風機であり、ケーシングの確動的なスイングが保障できる。【選択図】      図１
2008175168.tif 000002
【特許請求の範囲】
【請求項１】
ベースに設けた軸受けに軸承した支持軸と、この支持軸に固止した支持杆と、この支持杆の一端に設けたブロワケーシングと、このブロワケーシングに内蔵した羽根車と、この羽根車を支持する回転軸と、この回転軸を回転する前記ベースに設けたモータと、前記ブロワケーシング及び羽根車を回転する回転手段とで構成したスイング形送風機。
【請求項２】
請求項１に記載のスイング形送風機であって、
この回転手段は、ベースに設けた駆動部と、この駆動部の出力軸と、前記ブロワケーシングの背面にそれぞれ固止したリンク機構とで構成したスイング形送風機。
【請求項３】
請求項１に記載のスイング形送風機であって、
この回転手段は、回転軸を回転するモータと、このモータを枢支する前記ベースと、ベースに設けた駆動部と、この駆動部の出力軸と、前記ブロワケーシングの背面にそれぞれ固止したリンク機構とで構成したスイング形送風機。
【請求項４】
請求項１に記載のスイング形送風機であって、
洗車機の門形フレームに複数枚設置したベースと、このベースに設けた軸受けに軸承した支持軸と、この支持軸に固止した支持杆と、この支持杆の一端に設けたブロワケーシングと、このブロワケーシングに内蔵した羽根車と、この羽根車を回転する前記ベースに設けたモータと、前記ブロワケーシング及び羽根車を回転する回転手段とで構成したスイング形送風機。
【請求項５】
請求項１に記載のスイング形送風機であって、
畜舎、工場等の建屋の梁、柱等の固定手段に複数枚設置したベースと、このベースに設けた軸受けに軸承した支持軸と、この支持軸に固止した支持杆と、この支持杆の一端に設けたブロワケーシングと、このブロワケーシングに内蔵した羽根車と、この羽根車を回転する前記ベースに設けたモータと、前記ブロワケーシング及び羽根車を回転する回転手段とで構成したスイング形送風機。
【発明の詳細な説明】
【技術分野】
【０００１】
本発明は、ブロワケーシング（ブロワーダクト）及び羽根車を、所定の範囲でスイングし、送風の方向性と広域化を確保するスイング形送風機に関する。
【背景技術】
【０００２】
従来、本発明と同様な機能と効果を意図した発明として、種々の構造と形状、並びに各種の用途に適合したスイング形送風機がある。その構造と形状、並びに寸法等は極めて多岐に亘る。そこで、基本的な構造を分類して説明すると、
「１」  空調の分野で、特開平７−３０００１３号の「車両用送風機」（文献（１）とする）と、特開平８−１７８３３２号の「空調装置」（文献（２）とする）と、特開平１０−２８８３９２号の「大空間空調システム」（文献（３）とする）とが挙げられる。これらの文献（１）〜文献（３）の発明は、ノズル（吹出し口）、ケーシング「総称して、ノズルとする」が、首振り機構、リンク機構等の可動部を介して適宜回転する構造であって、空調した空気を、建屋内の広域的、かつ所定の箇所に送風するか、又はスポット的に送風するかを選択できることを特徴とする。
【０００３】
「２」  空調の他分野で、特開平５―１０５７３号の「エアシャワーノズル過熱防止方法」（文献（４）とする）が挙げられる。この文献（４）の発明は、エアシャワーノズルがノズルモータによって可動する構造であって、脱衣所等のサニタリー空間に設置し、スポット冷暖房に役立てることを特徴とする。
【０００４】
「３」  農業の分野で、特開２００２−３４３５６の「吹出口首振り・旋回運転可能な温風暖房機とその温風吹出し方法」（文献（５）とする）が挙げられる。この文献（５）の発明は、吹出し口（ノズル）が、首振り用の駆動モータを介して首振り（可動）する構造であり、このノズルの首振り、広域的かつ所定のエリアへの送風を達成し、ハウス内のダクトレスを図ることを特徴とする。
【０００５】
「４」  洗車機の分野で、米国特許第６，５３０，１１５号  「ＤＲＹＥＲ」（文献（６）とする）と、米国特許第６，７３５，８８４号  「ＢＬＯＷＥＲ  ＤＲＹＥＲ  ＦＯＲ  ＡＵＴＯＭＡＴＩＣ  ＶＥＨＩＣＬＥ  ＷＡＳＨ  ＳＹＳＴＥＭＳ  ＡＮＤ  ＭＥＴＨＯＤ  ＯＦ  ＵＳＩＮＧ  ＳＡＭＥ」（文献（７）とする）と、米国特許第６，８４２，９９７号  「ＰＩＶＯＴＡＬ  ＤＲＹＥＲ  ＮＯＺＺＬＥ  ＦＯＲ  ＣＡＲ  ＷＡＳＨ  ＥＱＵＩＰＭＥＮＴ  ＡＮＤ  ＭＥＴＨＯＤＳ  ＦＯＲ  ＤＲＹＩＮＧ  ＶＥＨＩＣＬＥＳ」（文献（８）とする）とが挙げられる。これらの文献（６）〜文献（８）の発明は、ノズルが、首振り用の駆動モータ、シリンダを介して、比較的狭い範囲において首振り（可動）する構造であり、このノズルの首振りによる所定の箇所への送風を達成し、車輌の水滴の払拭及び／又は乾燥を効率的に図ることを特徴とする。そして、この実施例では、洗車機本体フレームに複数基設置した構造であり、従来のスリット形洗車機の弊害解消を図る。例えば、効率的なスポット送風と、このスポット的な送風を介して、騒音低下、省資源化等を達成できる特徴がある。
【０００６】
【特許文献１】特開平７−３０００１３号
【特許文献２】特開平８−１７８３３２号
【特許文献３】特開平１０−２８８３９２号
【特許文献４】特開平５―１０５７３号
【特許文献５】特開２００２−３４３５６
【特許文献６】米国特許第６，５３０，１１５号
【特許文献７】米国特許第６，７３５，８８４号
【特許文献８】米国特許第６，８４２，９９７号
【発明の開示】
【発明が解決しようとする課題】
【０００７】
文献（１）〜文献（５）の発明は、ケーシング又はノズル（以下、主として、ノズルとする）を、装置に設けた主軸部に首振り（可動）可能に軸支し、このノズルが、主軸部を支点として首振りする構造である。この文献（１）〜文献（５）のように、ノズルが、軸部のみを支点として首振り動作する構造では、ノズルの確動的な動作が期待できないこと、殊に、文献（１）〜文献（３）の如く、単独の主軸部でノズルを支持する構造では、小型及び軽量な送風機では問題がないが、大型及び重量がある送風機では、耐久性に問題を残すものと考えられる。そして、この文献（１）〜文献（５）の発明は、送風機の回転軸を、ノズル又はケーシングの主軸部とする構造であり、前記した単独の主軸部でノズルを支持し、小型及び軽量な送風機では問題がないが、大型及び重量がある送風機では、耐久性に問題を残すものと考えられる。
【０００８】
また文献（６）〜文献（８）の発明は、ノズルを、装置に設けた主軸部に首振り（可動）可能に軸支し、このノズルが、主軸部を支点として首振りする構造である。この文献（６）〜文献（８）のように、ノズルが、主軸部のみを支点として首振り動作する構造では、ノズルの確動的な動作が期待できないこと、殊に、文献（７）、文献（８）の如く、単独の主軸部でノズルを支持する構造では、小型及び軽量な送風機では問題がないが、大型及び重量がある送風機では、耐久性に問題を残すものと考えられる。
【０００９】
そして、前記文献（１）〜文献（８）の発明は、ノズルを、単独の主軸部で支持し、この当該ノズルの首振りを、当該主軸部の可動を介して行う構造であるので、この主軸部に、送風機の荷重と、ノズルの荷重とが、同時に掛かり、この主軸部に対する負担が大きく、前述の問題点と、故障時のメンテナンスの困難性と、複雑化等を招来する問題点を抱えている。
【課題を解決するための手段】
【００１０】
請求項１の発明は、ブロワ用のファンの駆動と、ブロワケーシングの可動（スイング）とを、別の主軸部で作動し、主軸部（回転軸及び／又は支持軸）に無用な荷重が掛かることを防止（耐久性を備えたスイング形送風機）するとともに、小型及び軽量な送風機から、大型及び重量がある送風機まで、汎用性があるスイング形送風機を提供すること等を意図する。
【００１１】
またこの請求項１の発明は、前記主軸部（回転軸及び／又は支持軸）を二分割する構造とし、故障時のメンテナンスの容易化と、簡略化等を図ることを意図する。
【００１２】
請求項１は、ベースに設けた軸受けに軸承した支持軸と、この支持軸に固止した支持杆と、この支持杆の一端に設けたブロワケーシングと、このブロワケーシングに内蔵した羽根車と、この羽根車を支持する回転軸と、この回転軸を回転する前記ベースに設けたモータと、前記ブロワケーシング及び羽根車を回転する回転手段とで構成したスイング形送風機である。
【００１３】
請求項２の発明は、請求項１の目的を達成すること、このスイング形送風機の目的を達成するのに最適な回転手段の構造を提案することを意図する。
【００１４】
請求項２は、請求項１に記載のスイング形送風機であって、
この回転手段は、ベースに設けた駆動部と、この駆動部の出力軸と、前記ブロワケーシングの背面にそれぞれ固止したリンク機構とで構成したスイング形送風機である。
【００１５】
請求項３の発明は、請求項１の目的を達成すること、このスイング形送風機の目的を達成するのに無用な荷重が掛かることを防止し、軽量化及び／又は小型化を備えた最適なスイング式送風機の構造を提案することを意図する。
【００１６】
請求項３は、請求項１に記載のスイング形送風機であって、
この回転手段は、回転軸を回転するモータと、このモータを枢支する前記ベースと、ベースに設けた駆動部と、この駆動部の出力軸と、前記ブロワケーシングの背面にそれぞれ固止したリンク機構とで構成したスイング形送風機である。
【００１７】
請求項４の発明は、請求項１の目的を達成すること、このスイング形送風機の目的を達成するのに最適な装置を提供することを意図する。
【００１８】
請求項４は、請求項１に記載のスイング形送風機であって、
洗車機の門形フレームに複数枚設置したベースと、このベースに設けた軸受けに軸承した支持軸と、この支持軸に固止した支持杆と、この支持杆の一端に設けたブロワケーシングと、このブロワケーシングに内蔵した羽根車と、この羽根車を回転する前記ベースに設けたモータと、前記ブロワケーシング及び羽根車を回転する回転手段とで構成したスイング形送風機である。
【００１９】
請求項５の発明は、請求項１の目的を達成すること、このスイング形送風機の目的を達成するのに最適な使用分野を提供することを意図する。
【００２０】
請求項５は、請求項１に記載のスイング形送風機であって、
畜舎、工場等の建屋の梁、柱等の固定手段に複数枚設置したベースと、このベースに設けた軸受けに軸承した支持軸と、この支持軸に固止した支持杆と、この支持杆の一端に設けたブロワケーシングと、このブロワケーシングに内蔵した羽根車と、この羽根車を回転する前記ベースに設けたモータと、前記ブロワケーシング及び羽根車を回転する回転手段とで構成したスイング形送風機である。
【発明の効果】
【００２１】
請求項１の発明は、ベースに設けた軸受けに軸承した支持軸と、支持軸に固止した支持杆と、支持杆の一端に設けたブロワケーシングと、ブロワケーシングに内蔵した羽根車と、羽根車を支持する回転軸と、この回転軸を回転するベースに設けたモータと、ブロワケーシング及び羽根車を回転する回転手段とで構成したスイング形送風機である。
【００２２】
従って、請求項１は、ブロワ用のファンの駆動と、ブロワケーシングのスイングとを、別の主軸部で作動し、主軸部（回転軸及び／又は支持軸）に無用な荷重が掛かることを防止（耐久性を備えたスイング形送風機）できるとともに、小型及び軽量な送風機から、大型及び重量がある送風機まで、汎用性があるスイング形送風機を提供できること等の特徴を有する。
【００２３】
またこの請求項１は、前記主軸部（回転軸及び／又は支持軸）を二分割する構造とし、故障時のメンテナンスの容易化と、簡略化等が図れる特徴を有する。
【００２４】
請求項２の発明は、請求項１に記載のスイング形送風機であって、
回転手段は、ベースに設けた駆動部と、駆動部の出力軸と、ブロワケーシングの背面にそれぞれ固止したリンク機構とで構成したスイング形送風機である。
【００２５】
従って、請求項２は、請求項１の目的を達成できること、このスイング形送風機の目的を達成するのに最適な回転手段の構造を提案できること等の特徴を有する。
【００２６】
請求項３は、請求項１に記載のスイング形送風機であって、
回転手段は、回転軸を回転するモータと、モータの下部を枢支する前記ベースと、ベースに設けた駆動部と、駆動部の出力軸と、ブロワケーシングの背面にそれぞれ固止したリンク機構とで構成したスイング形送風機である。
【００２７】
従って、請求項３の発明は、請求項１の目的を達成できること、このスイング形送風機の目的を達成するのに無用な荷重が掛かることを防止し、軽量化及び／又は小型化を備えた最適なスイング式送風機の構造を提案すること等の特徴を有する。
【００２８】
請求項４の発明は、請求項１に記載のスイング形送風機であって、
洗車機の門形フレームに複数枚設置したベースと、ベースに設けた軸受けに軸承した支持軸と、支持軸に固止した支持杆と、支持杆の一端に設けたブロワケーシングと、ブロワケーシングに内蔵した羽根車と、羽根車を回転するベースに設けたモータと、ブロワケーシング及び羽根車を回転する回転手段とで構成したスイング形送風機である。
【００２９】
従って、請求項４は、請求項１の目的を達成できること、このスイング形送風機の目的を達成するのに最適な装置を提供できること等の特徴を有する。
【００３０】
請求項５の発明は、請求項１に記載のスイング形送風機であって、
畜舎、工場等の建屋の梁、柱等の固定手段に複数枚設置したベースと、ベースに設けた軸受けに軸承した支持軸と、支持軸に固止した支持杆と、支持杆一端に設けたブロワケーシングと、ブロワケーシングに内蔵した羽根車と、羽根車を回転するベースに設けたモータと、ブロワケーシング及び羽根車を回転する回転手段とで構成したスイング形送風機である。
【００３１】
従って、請求項５は、請求項１の目的を達成できること、このスイング形送風機の目的を達成するのに最適な使用分野を提供できること等の特徴を有する。
【発明を実施するための最良の形態】
【００３２】
本発明の一例を説明する。
【００３３】
図面の説明をすると、図１は本発明のスイング形送風機の斜視図、図２はスイング形送風機の側面図、図３はスイング形送風機の平面図、図４はスイング形送風機の底面図、図５はスイング形送風機の正面図、図６はスイング形送風機の背面図、図７はスイング形送風機を洗車機に使用した参考斜視図、図８はスイング形送風機を工場（建屋の一例）に使用した参考側面図である。
【００３４】
そして、本発明の基本的な構造は、図１〜図６に示されており、１はケーシング（ブロワケーシング）であり、このケーシング１は、正面１Ａに吸込口１００を有し、下面１Ｄに吹出口１０１を有する構造であり、この吹出口１０１は、ケーシング１の環状本体部１Ｃから分岐する構造であって、正面視して収れん三角形状を呈し、側面視して、略２０°〜５０°の正面に対して折れ曲った形状を呈する。この形状を利用し、吸込んだ空気（暖冷房、汚染空気、煤煙、湿気等）を、送風し、後述するベース等に邪魔されず吹出し、また排気できることと、騒音の減少化（形状による好影響と、傾斜角度による好影響）、さらにエネルギーロスの減少化に寄与できる。そして、この形状及び／又は角度は一例であり、限定されないが、本出願人の工場及び／又は研究室での実験では、好ましい結果が得られた。尚、１０２はケーシング１の空気通路を示している。また、図示しないが、本発明では、この吹出口１０１をケーシング１の環状本体部１Ｃに可動可能に設け、二重構造の吹出しを図ることも可能である。そして、その吹出し方向は、スイングと同じ方向、又は交差方向等の方向性が可能である。
【００３５】
尚、このケーシング１内には、ブロワ用の羽根車２が軸承されており、この軸承を司る回転軸３はベース５に設けたモータ４に嵌挿されている。従って、この羽根車２はモータ４の駆動で、回転軸３が回転されることで、所定の速度で回転する。この羽根車２の回転を介して、吸込口１００より空気を吸込み、吹出口１０１より吹出す構造であり、図２に矢印「イ」、矢印「ロ」として示した。この空気の流れで、前述した各好影響が確保できる。さらに、遠方への送風と、集中した送風等が可能となる。
【００３６】
次に、ケーシング１のスイング機構（方式）を説明すると、先ずケーシング１の支持は、この例では、ケーシング１の背面１Ｂに、一端を固止した支持杆９と、この支持杆９の他端を軸承するベース５に設けた軸受け７間に軸承した支持軸８とで構成し、またそのスイングは、ベース５に設けた駆動部１０と、この駆動部１０の動きを伝える、前記ケーシング１の背面１Ｂに固止したリンク機構１１、シリンダ機構、カム機構等の往復手段とで構成する。従って、このリンク機構１１が駆動部１０を介して、図６において左右方向（矢印「ハ」）に可動する。この可動を介して、ケーシング１が図２において、同様に左右方向（矢印「ハ’」）に首振りする構造である。この首振り時において、首振りは、回転軸３と、支持軸８の二軸が、同じ軸芯位置において（中心軸として、Ｘ−Ｘで矢視する）駆動することで、この回転軸３及び／又は支持軸８（主軸部）に無用な荷重が掛かることを防止し（耐久性を備えたスイング形送風機となる）、またこのスイング形送風機は、小型及び軽量な機種から、大型及び重量がある機種まで対応できる（汎用性があるスイング形送風機を提供できる）。そして、また回転軸３及び／又は支持軸８を二分割する構造とし、故障時のメンテナンスの容易化と、簡略化等が図れる。さらには、ケーシング１の確動的な動作が期待できる。尚、支持杆９は、角パイプを側面視して、鍵方形状とし、その一端９Ａを、対のブラケット９００及び／又は補強板９０１介してケーシング１の背面１Ｂに、また他端９Ｂを支持軸８に、それぞれ固止し、このケーシング１が首振り動作（スイング）する際に、支持軸８が軸受け７の軸承を介して可動可能とする。
【００３７】
また、図示しないが、この他の一例として、ケーシング１のスイング機構（方式）を説明すると、ケーシング１の背面１Ｂに、支持杆９を設けず、前述したように、前記回転軸３にモータ４を軸承し、このモータ４をベース５に枢支する構成とし、ケーシング１と可動するリンク機構１１、シリンダ機構、カム機構等の往復手段に関しては、前述の例と同様の構成とする。そして、この駆動部１０の回転により、リンク機構１１を介し、このケーシング１及び／又はモータ４が、首振振りを行う構造となる。この構成及び構造を採用することにより、ケーシング１の一端を固止した支持杆９、軸受け７及び支持軸８を設けないため、軽量化及び／又は小型化のスイング式送風機を寄与することができ、さらに確動的な動作が期待でき、安定した送風が行え、省エネにも貢献できると考えられる。なお、その他の構成及び／又は効果については、前述の例と同様とする。
【００３８】
そして、以上で詳述したように、ケーシング１のスイングは、回転軸３を支点とし、その同一のＸ−Ｘで矢視する中心軸上での可動であり、確動的な動きが保障されることは前述した。またブラケット９００及び／又は補強板９０１介してケーシング１の背面１Ｂに、支持杆９を固止する構造とし、片持ち式で、ケーシング１をべース５に安定的に支持できる。
【００３９】
尚、前述したリンク機構１１は、この一例では、駆動部１０の出力軸に設けた円板１１００と、この円板１１００の偏芯位置に一端を設けた直線状のリンク部材１１０１と、このリンク部材１１０１に連結し、その一端をケーシング１の背面１Ｂに支持片１１０３を介して、固止した鍵型のリンク部材１１０２との組合せで構成し、駆動部１０の回転を介して円板１１００を回転することで、このリンク部材１１０１、１１０２を介して、このケーシング１のスイングを図る構造である。そして、この一例では、ケーシング１に設けた支持片１１０３を介して、この駆動部１０の動きを、確動的にケーシング１に伝達する構造を採用した。
【００４０】
本発明の参考使用例１を説明すると、図７はスイング形送風機を洗車機に使用した一例であり、洗車機のフレーム２０の適所に、ベース５（省略することもあり得る。他の各例も同じ）を介してスイング形送風機を設置した構造であり、その吹出口１０１を、車輌（図示せず）の適所に向け、水滴（薬剤）の払拭及び／又は乾燥を図る。この使用例では、スポット送風及び／又はスイング送風（スイング送風の停止もあり得る。他の各例も同じ）の併用を主体として、水滴の払拭及び／又は乾燥作業の効率化、送風量の確保及び／又は送風方向の選択性の確保（数基のスイング形送風機の起動と停止の選択等がある。他の各例も同じ）と、また騒音の減少化、環境維持と、洗車の有益性の向上等を意図する。
【００４１】
次に、本発明の参考使用例２を説明すると、図８はスイング形送風機を工場に使用した一例であり、工場の梁２１の適所に、ベース５（省略することもあり得る。他の各例も同じ）を介してスイング形送風機を設置した構造であり、その吹出口１０１を、人又は製品、加工部材等（図示せず）の適所に向け、空調、製品等の水滴の払拭及び／又は乾燥を図る。この使用例では、スポット送風及び／又はスイング送風の併用を主体として、作業の効率化、また送風量の確保及び／又は送風方向の選択性の確保と、さらに環境維持と、製品の品質向上等を意図する。
【００４２】
前述した使用の各例は、一例であり、限定されない。
【図面の簡単な説明】
【００４３】
【図１】図１は本発明のスイング形送風機の斜視図
【図２】図２はスイング形送風機の側面図
【図３】図３はスイング形送風機の平面図
【図４】図４はスイング形送風機の底面図
【図５】図５はスイング形送風機の正面図
【図６】図６はスイング形送風機の背面図
【図７】図７はスイング形送風機を洗車機に使用した参考斜視図
【図８】図８はスイング形送風機を工場に使用した参考側面図
【符号の説明】
【００４４】
１              ケーシング
１Ａ            正面
１Ｂ            背面
１Ｃ            環状本体部
１Ｄ            下面
１００          吸込口
１０１          吹出口
１０２          空気通路
２              羽根車
３              回転軸
４              モータ
５              ベース
７              軸受け
８              支持軸
９              支持杆
９Ａ            一端
９Ｂ            他端
９００          ブラケット
９０１          補強板
１０            駆動部
１１            リンク機構
１１００        円板
１１０１        リンク部材
１１０２        リンク部材
１１０３        支持片
２０            フレーム
２１            梁
【図１】
2008175168.tif 000003
【図２】
2008175168.tif 000004
【図３】
2008175168.tif 000005
【図４】
2008175168.tif 000006
【図５】
2008175168.tif 000007
【図６】
2008175168.tif 000008
【図７】
2008175168.tif 000009
【図８】
2008175168.tif 000010